(57)【要約】【課題】  書換可能ブルーレイディスク（ＢＤ−ＲＥ）または再生専用ブルーレイディスク（ＢＤ−ＲＯＭ）等のような高密度光ディスクとその記録または再生方法を開示する。高密度光ディスクのバーストカッティング領域に記録されるデータユニットの特定情報フィールドまたは高密度光ディスクに記録されるアドレスユニットの一つのバイトの特定アドレスフィールド内に、ディスク反射率情報、ディスクレイヤ情報またはディスクタイプ情報等のような多様な付加情報を記録して、高密度光ディスクが装着されるときまたはデータ記録動作または再生動作実行するとき、この情報を読み出す。その結果、最適な光パワー調節及び自動利得調節または記録位置確認が可能になり、またディスクタイプに相応する正常なデータ記録動作または再生動作が可能になる。
2005536823.tif 000002
【特許請求の範囲】
【請求項１】
バーストカッティング領域と、
アドレスユニットを含むデータ領域とを備えた高密度記録媒体であって、
前記高密度記録媒体の記録または再生を制御するために使われる付加情報が前記バーストカッティング領域または前記アドレスユニットのうち少なくとも１つに記録されていることを特徴とする高密度記録媒体。
【請求項２】
前記記録媒体は書換可能ブルーレイディスク（ＢＤ−ＲＥ）または再生専用ブルーレイディスク（ＢＤ−ＲＯＭ）であることを特徴とする請求項１に記載の高密度記録媒体。
【請求項３】
前記付加情報は前記バーストカッティング領域のデータユニットに含まれた特定情報フィールドに記録されていることを特徴とする請求項１に記載の高密度記録媒体。
【請求項４】
前記特定情報フィールドは前記データユニットに含まれた第１の情報フィールドであることを特徴とする請求項３に記載の高密度記録媒体。
【請求項５】
前記付加情報は高密度光ディスクのバーストカッティング領域のデータユニットに含まれた情報フィールドに反復記録されていることを特徴とする請求項１に記載の高密度記録媒体。
【請求項６】
前記付加情報は所定のサイズのアドレスユニットに含まれた特定アドレスフィールドに記録されていることを特徴とする請求項１に記載の高密度記録媒体。
【請求項７】
前記アドレスユニットは１６アドレスＸ９行（バイト）のサイズを有し、前記特定アドレスフィールドは前記アドレスユニットに含まれた１バイトのアドレスフィールドであり、前記アドレスユニットのうち行番号４のアドレス番号Ｓ（ＡＦ４，Ｓ，Ｓ＝０，１，・・・，１５）に対応することを特徴とする請求項６に記載の高密度記録媒体。
【請求項８】
前記バーストカッティング領域に記録される付加情報は媒体反射率情報、媒体レイヤ情報、媒体タイプ情報及びアプリケーションインジケータ情報のうち少なくとも１つを含むことを特徴とする請求項１に記載の高密度記録媒体。
【請求項９】
前記付加情報は任意のデコーディング動作なく確認されることを特徴とする請求項８に記載の高密度記録媒体。
【請求項１０】
前記媒体レイヤ情報は前記記録媒体に含まれたレイヤの数を示すことを特徴とする請求項８に記載の高密度記録媒体。
【請求項１１】
前記アドレスユニットに記録される付加情報は媒体反射率情報、ゾーンタイプ情報、データタイプ情報、媒体タイプ情報及びレイヤ情報のうち少なくとも１つを含むことを特徴とする請求項１に記載の高密度記録媒体。
【請求項１２】
前記ゾーンタイプ情報は、データ記録または再生動作が実行されているときの現在位置がデータゾーン（Ｄａｔａ  Ｚｏｎｅ）、インナーゾーン（Ｉｎｎｅｒ  ｚｏｎｅ）、またはアウターゾーン（Ｏｕｔｅｒ  ｚｏｎｅ）に対応することを示すことを特徴とする請求項１１に記載の高密度記録媒体。
【請求項１３】
前記データタイプ情報は該当データのタイプが再生専用（Ｒｅａｄ  Ｏｎｌｙ）データ、記録可能（Ｒｅｃｏｒｄａｂｌｅ）データまたは書換可能（Ｒｅｗｒｉｔａｂｌｅ）データであることを示すことを特徴とする請求項１１に記載の高密度記録媒体。
【請求項１４】
前記媒体反射率情報はデータ記録または再生動作が実行されるときに光パワー調節または自動利得調節のために必要な情報であることを特徴とする請求項８または１１に記載の高密度記録媒体。
【請求項１５】
前記媒体タイプ情報は光ディスクのタイプが再生専用、記録可能または書換可能ブルーレイディスクであることを示すことを特徴とする請求項８または１１に記載の高密度記録媒体。
【請求項１６】
前記レイヤ情報は前記記録媒体に含まれたレイヤの数を示す情報または前記記録媒体の現在のレイヤを定義する情報であることを特徴とする請求項１１に記載の高密度記録媒体。
【請求項１７】
前記付加情報はデータ領域の先頭部分に位置した管理データに加えて記録されることを特徴とする請求項１に記載の高密度記録媒体。
【請求項１８】
高密度光ディスクのバーストカッティング領域から読み出すデータユニットに含まれた特定情報フィールドに記録された情報、または前記光ディスクから読み出して再生されるアドレスユニットに含まれた特定アドレスフィールドに記録された情報を確認するステップと、
前記確認された情報に基づきデータ記録または再生動作を制御するステップとを備えることを特徴とする高密度光ディスク記録または再生方法。
【請求項１９】
前記特定情報フィールドにはディスク反射率情報、ディスクレイヤ情報、ディスクタイプ情報及びアプリケーションインジケータ情報のうち少なくとも１つが記録されていることを特徴とする請求項１８に記載の高密度光ディスク記録または再生方法。
【請求項２０】
前記特定アドレスフィールドにはディスク反射率情報、ゾーンタイプ情報、データタイプ情報、ディスクタイプ情報及びレイヤ情報のうち少なくとも１つが記録されていることを特徴とする請求項１８に記載の高密度光ディスク記録または再生方法。
【請求項２１】
前記ディスクレイヤ情報はディスクに含まれたレイヤの数を示すことを特徴とする請求項１９に記載の高密度光ディスク記録または再生方法。
【請求項２２】
前記ディスクタイプ情報は光ディスクのタイプが再生専用、記録可能または書換可能ブルーレイディスクであることを示すことを特徴とする請求項１９または２０に記載の高密度光ディスク記録または再生方法。
【請求項２３】
前記ディスク反射率情報はデータ記録または再生動作を実行するときに光パワー調節または自動利得調節のために必要な情報であることを特徴とする請求項１９または２０に記載の高密度光ディスク記録または再生方法。
【請求項２４】
前記特定情報フィールドに記録された情報は光ディスク装置内に前記光ディスクが装着されたとき優先的に読み出すことを特徴とする請求項１８に記載の高密度光ディスク記録または再生方法。
【請求項２５】
前記特定アドレスフィールドに記録された情報はデータの記録または再生動作の間に読み出されることを特徴とする請求項１８に記載の高密度光ディスク記録または再生方法。
【請求項２６】
高密度記録媒体のバーストカッティング領域から読み出すデータユニットに含まれた特定情報フィールドに記録された情報を確認するステップと、
前記確認された情報に基づきデータ記録または再生動作を制御するステップと、
前記記録媒体のデータ領域の先頭部分に記録された制御データに含まれた情報を確認して、前記制御データから確認された情報に基づきデータの記録または再生を実施するステップとを備えることを特徴とする高密度光ディスク記録または再生方法。
【請求項２７】
（Ａ）高密度記録媒体のデータ領域に記録された制御データに含まれた情報を確認するステップと、
（Ｂ）前記ステップ（Ａ）で確認された情報に基づき前記記録媒体から読み出すアドレスユニットの特定アドレスフィールドに記録された情報を確認するステップと、
（Ｃ）前記ステップ（Ｂ）で確認された情報に基づきデータの記録または再生動作を制御するステップとを備えることを特徴とする高密度光ディスク記録または再生方法。
【請求項２８】
前記ステップ（Ａ）で確認される情報および前記ステップ（Ｂ）で確認される情報は少なくとも１つの同一の情報を含むことを特徴とする請求項２７に記載の高密度光ディスク記録または再生方法。
【発明の詳細な説明】
【技術分野】
【０００１】
本発明は書換可能ブルーレイディスク（ＢＤ−ＲＥ：Ｂｌｕ−ｒａｙ  ＲＥｗｒｉｔａｂｌｅ）または再生専用ブルーレイディスク（ＢＤ−ＲＯＭ）のような高密度光ディスクとその記録または再生方法に関する。
【背景技術】
【０００２】
近年、長時間の高画質ビデオデータ及び高音質オーディオデータを保存することができるＤＶＤ（ＤＶＤ：Ｄｉｇｉｔａｌ  Ｖｅｒｓａｔｉｌｅ  Ｄｉｓｃ）のような高密度光ディスクが開発されている。現在、このような高密度光ディスクは広く商用化されている。
【０００３】
上記ＤＶＤに記録されるメインＡ／Ｖデータは、図１に示すように、２０４８バイトのセクタ（Ｓｅｃｔｏｒ）単位で記録される。上記２０４８バイトのセクタにはＩＤ（Ｉｄｅｎｔｉｆｉｃａｔｉｏｎ  Ｄａｔａ）、ＩＥＤ（ＩＤ  Ｅｒｒｏｒ  Ｄｅｔｅｃｔｉｏｎ  Ｃｏｄｅ）、ＣＰＲ_ＭＡＩ（Ｃｏｐｙｒｉｇｈｔ  Ｍａｎａｇｅｍｅｎｔ  Ｉｎｆｏｒｍａｔｉｏｎ）及びＥＤＣ（Ｅｒｒｏｒ  Ｄｅｔｅｃｔｉｏｎ  Ｃｏｄｅ）を含むことができる１６バイトの付加情報が記録される。
【０００４】
また、上記付加情報に含まれた４バイトのセクタＩＤ情報は、図２に示すように、１バイトのセクタ情報（Ｓｅｃｔｏｒ  Ｉｎｆｏｒｍａｔｉｏｎ）と３バイトのセクタ番号情報（Ｓｅｃｔｏｒ  Ｎｕｍｂｅｒ）で構成される。
【０００５】
上記１バイトのセクタ情報は、それぞれ１ビットのセクタフォーマットタイプ（Ｓｅｃｔｏｒ  ｆｏｒｍａｔ  ｔｙｐｅ）情報、トラッキング方法（Ｔｒａｃｋｉｎｇ  ｍｅｔｈｏｄ）情報、ディスク反射率（Ｒｅｆｌｅｃｔｉｖｉｔｙ）情報、未使用（Ｒｅｓｅｒｖｅｄ）情報、データタイプ（Ｄａｔａ  ｔｙｐｅ）情報、レイヤ番号（Ｌａｙｅｒ  ｎｕｍｂｅｒ）情報を含む。また、セクタ情報は２ビットの領域タイプ（Ａｒｅａ  ｔｙｐｅ）情報を含む。
【０００６】
例えば、上記セクタフォーマットタイプ情報が‘０ｂ’である場合、該当セクタ上に記録されたメインＡ／Ｖデータが線速度（ＣＬＶ：Ｃｏｎｓｔａｎｔ  Ｌｉｎｅａｒ  Ｖｅｌｏｃｉｔｙ）方式のフォーマットで再生または記録できることを示す。一方、上記セクタフォーマットタイプ情報が‘１ｂ’である場合には領域別に相異なる方式で再生または記録できることを示す。
【０００７】
また、上記トラッキング方法情報が‘０ｂ’である場合、ピット（Ｐｉｔ）基準のトラッキング動作を実行することを示す。一方、トラッキング方法情報が‘１ｂ’である場合、グルーブ（Ｇｒｏｏｖｅ）基準のトラッキング動作を実行することを示す。上記ディスク反射率情報が‘０ｂ’である場合、ディスク反射率が４０％より大きいことを示し、ディスク反射率情報が‘１ｂ’である場合ディスク反射率が４０％以下であることを示す。
【０００８】
一方で、上記領域タイプ情報が‘００ｂ’である場合現在の記録位置がデータ領域であることを示す。また、領域タイプ情報が‘０１ｂ’である場合、リードイン（ｌｅａｄ−ｉｎ）領域であることを示す。領域タイプ情報が‘１０ｂ’の場合、リードアウト（ｌｅａｄ−ｏｕｔ）を示し、領域タイプ情報が‘１１ｂ’の場合にはデュアルレイヤ（Ｄｕａｌ  Ｌａｙｅｒ）光ディスク上の中間（Ｍｉｄｄｌｅ）領域であることを示す。上記データタイプ情報が‘０ｂ’である場合、該当セクタのメインＡ／Ｖデータが再生専用データであることを示す。一方、データタイプ情報が‘１ｂ’の場合、再生専用以外の他のデータであることを示す。
【０００９】
また、上記レイヤ番号情報が‘０ｂ’である場合、現在のディスクがシングルレイヤを有すること、または現在の記録層がデュアルレイヤ光ディスクの第１記録層（Ｌａｙｅｒ  ０）であることを示す。一方、上記レイヤ番号情報が‘１ｂ’である場合、現在の記録層がデュアルレイヤ光ディスクの第２記録層（Ｌａｙｅｒ  １）であることを示す。
【００１０】
これに相応して、上記のようなＤＶＤが装着された光ディスク装置では、上記セクタ情報に記録されたセクタフォーマットタイプ情報、トラッキング方法情報、ディスク反射率情報、データタイプ情報、レイヤ番号情報及び領域タイプ情報をそれぞれ読み出して、その読み出した情報に対応するデータ記録動作または再生動作を正常に実行する。
【００１１】
例えば、セクタフォーマットタイプ情報が線速度一定（ＣＬＶ：Ｃｏｎｓｔａｎｔ  Ｌｉｎｅａｒ  Ｖｅｌｏｃｉｔｙ）方式を示す情報であるか、または線速度がゾーン別に他の方式を示す情報であるかによって、データ記録または再生のためのサーボ制御が変わらなければならない。また、ディスク反射率情報によって読み出す信号のゲイン（Ｇａｉｎ）が変わらなければならない。さらに、レイヤ情報によってフォーカスサーボ制御が変わらなければならない。このように、上記付加情報によって記録または再生システムが変更されなければならない。
【発明の開示】
【発明が解決しようとする課題】
【００１２】
一方、書換可能ブルーレイディスク（ＢＤ−ＲＥ）または再生専用ブルーレイディスク（ＢＤ−ＲＯＭ）等のような新しい高密度光ディスクに対する規格化作業が関連企業間で論議されている。しかし、上記ＤＶＤと現在論議されているブルーレイディスクのデータフォーマットは根本的に相異なっている。また、上記ＤＶＤに記録されたセクタ情報に対応する多様な情報を効率的かつ適合的に上記高密度光ディスクに記録することができるようにするための方法がない。したがって、そのような方法が強く要求されている。
【課題を解決するための手段】
【００１３】
本発明は上記のような問題を勘案してなされたものであって、本発明の目的は、書換可能ブルーレイディスク（ＢＤ−ＲＥ）または再生専用ブルーレイディスク（ＢＤ−ＲＯＭ）等のような高密度光ディスクおよびその記録または再生方法であって、高密度光ディスクのバーストカッティング領域（Ｂｕｒｓｔ  Ｃｕｔｔｉｎｇ  Ａｒｅａ）に記録されるデータユニット（Ｄａｔａ  Ｕｎｉｔ）の特定情報フィールド内または高密度光ディスクに記録されるアドレスユニット（Ａｄｄｒｅｓｓ  Ｕｎｉｔ）の１つのバイトの特定アドレスフィールド内に、上記ＤＶＤのセクタ情報に対応する多様な付加情報を效率的に記録して、上記高密度光ディスクが装着されるときまたはデータ記録動作または再生動作を実行するとき、その情報を読み出すことができるようにするものを提供することにある。
【００１４】
本発明の一態様において、本発明は、バーストカッティング領域；及びアドレスユニットを含むデータ領域を含み、ここで記録媒体の記録または再生を制御するために使われる付加情報が上記バーストカッティング領域または上記アドレスユニットに記録されている高密度記録媒体を提供する。
【００１５】
また、本発明は、高密度光ディスクのバーストカッティング領域から読み出すデータユニットに含まれた特定情報フィールドまたは上記光ディスクから読み出して再生されるアドレスユニットに含まれた特定アドレスフィールドに記録された情報を確認するステップ；及び上記確認された情報に基づきデータ記録または再生動作を制御するステップを含む高密度光ディスク記録または再生方法を提供する。
【００１６】
本発明のさらなる理解を提供するために含まれる添付の図面は、本発明の好ましい実施形態を例示し、本記述と共に、本発明の原理を説明するのに役立つ。
【００１７】
異なる図において同じ符号により参照される本発明の特徴、要素、および態様は、１または複数の実施形態にかかる同じ、等価の、または類似の特徴、要素または態様を示す。
【発明を実施するための最良の形態】
【００１８】
以下、本発明による高密度光ディスクおよびその記録または再生方法の好ましい実施形態を、添付の図面を参照しながら詳細に説明する。
【００１９】
本発明による高密度光ディスクは書換可能ブルーレイディスク（ＢＤ−ＲＥ）または再生専用ブルーレイディスク（ＢＤ−ＲＯＭ）のうちいずれかとすることができる。
【００２０】
本発明による第１実施形態において、データ記録動作または再生動作を正常に実行するのに必要な多様な付加情報が上記高密度光ディスクのバーストカッティング領域（ＢＣＡ）に記録されることができる。
【００２１】
上記高密度光ディスクには、図３に示すようにＢＣＡが割り当てられる。上記ＢＣＡは高密度光ディスクが装着される場合光ディスク装置が最も先にアクセス（Ａｃｃｅｓｓ）する最内周領域である。ＢＣＡ上にはディスク複写防止のための暗号化情報等のような多様な情報がＢＣＡコード（ＢＣＡ−ｃｏｄｅ）の形式で記録される。
【００２２】
上記ＢＣＡに記録されるＢＣＡコードは、図４に示すように、複数のデータユニットが連続的に記録された構造を有する。データユニットは、１バイトの同期（Ｓｙｎｃ）フィールド及び４バイトの情報（Ｉｎｆｏｒｍａｔｉｏｎ）フィールドを含む４行データ（４  ｒｏｗｓ  ｄａｔａ）と、１バイトの同期（Ｓｙｎｃ）フィールド及び４バイトのキャリア（Ｃａｒｒｉｅｒ）フィールドを含む４行パリティー（４  ｒｏｗｓ  ｐａｒｉｔｙ）とで構成される。
【００２３】
上記データユニットのうち任意の１つの特定情報フィールド、例えば各データユニットの第１情報フィールド（Ｉ０，０，Ｉ０，１，Ｉ０，２，Ｉ０，３）には、図２を参照して前述したＤＶＤのセクタ情報に対応する多様な付加情報が記録されることができる。例えば、図５に示すように、再生専用ブルーレイディスク（ＢＤ−ＲＯＭ）のＢＣＡに書き込まれたデータユニットのうち第１情報フィールド（Ｉ０，０）には、２ビットのレイヤ数情報（ｂ７ｂ６＝Ｎｕｍｂｅｒ  ｏｆ  Ｌａｙｅｒｓ）、２ビットのディスク反射率情報（ｂ５ｂ４＝Ｒｅｆｌｅｃｔｉｖｉｔｙ）、１ビットの未使用領域（ｂ３＝ｒｅｓｅｒｖｅｄ）、１ビットのアプリケーションインジケータ情報（ｂ２＝Ａｐｐｌｉｃａｔｉｏｎ  Ｉｎｄｉｃａｔｏｒ）、２ビットのデータユニットシーケンス番号情報（ｂ１ｂ０＝Ｄａｔａ  Ｕｎｉｔ  Ｓｅｑｕｅｎｃｅ  Ｎｕｍｂｅｒ）が記録されることができる。
【００２４】
この場合、上記２ビットのレイヤ数情報（Ｎｕｍｂｅｒ−ｏｆ−Ｌａｙｅｒｓ）‘ｂ７ｂ６’が‘００ｂ’である場合、該当する光ディスクが１つのレイヤ、すなわちシングル（Ｓｉｎｇｌｅ）レイヤ構造であることを示す。また、レイヤ数情報‘ｂ７ｂ６’が‘０１ｂ’である場合、該当する光ディスクがデュアル（Ｄｕａｌ）レイヤ構造であることを示す。一方、レイヤ数情報‘ｂ７ｂ６’が‘１０ｂ’または‘１１ｂ’である場合、それぞれ該当する光ディスクが第３記録層（Ｌａｙｅｒ  ２）を有する三層構造、または第４記録層（Ｌａｙｅｒ  ３）を有する四層構造であることを示す。
【００２５】
上記２ビットのディスク反射率情報‘ｂ５ｂ４’が‘００ｂ’である場合、ディスク反射率が第１の所定基準値より低いロー（Ｌｏｗ）状態であることを示す。一方、ディスク反射率情報‘ｂ５ｂ４’が‘０１ｂ’である場合、ディスク反射率が第１の所定基準値より第２の所定基準値より低い中間（Ｍｉｄｄｌｅ）状態であることを示し、ディスク反射率情報‘ｂ５ｂ４’が‘１０ｂ’である場合、ディスク反射率が第２の所定基準値より高いハイ（Ｈｉｇｈ）状態であることを示す。
【００２６】
参考までに、書換可能ブルーレイディスクまたは再生専用ブルーレイディスクの記録密度は一般のＤＶＤに比べて約５倍程度さらに高い。このような高記録密度のため、書換可能ブルーレイディスクまたは再生専用ブルーレイディスクの場合は上記のようにディスク反射率情報を２ビットに割り当てて細分化することができる。したがって、データ記録及び再生動作の間、より適合した光パワー調節（ＯＰＣ）及び自動利得調節（ＡＧＣ）動作が可能になる。
【００２７】
上記１ビットのアプリケーションインジケータ情報（Ａｐｐｌｉｃａｔｉｏｎ  Ｉｎｄｉｃａｔｏｒ）‘ｂ２’が‘０ｂ’である場合、複写防止システムの不使用を示す。一方、アプリケーションインジケータ情報‘ｂ２’が‘１ｂ’である場合、複写防止システムの使用を示す。
【００２８】
また、上記２ビットのデータユニットシーケンス番号情報（Ｄａｔａ  Ｕｎｉｔ  Ｓｅｑｕｅｎｃｅ  Ｎｕｍｂｅｒ）‘ｂ１ｂ０’が‘００ｂ’である場合、該当データユニットの番号が‘Ｄａｔａ  Ｕｎｉｔ  ０’であることを示す。データユニットシーケンス番号情報‘ｂ１ｂ０’が‘０１ｂ’である場合、該当データユニットの番号が‘Ｄａｔａ  Ｕｎｉｔ  １’であることを示す。データユニットシーケンス番号情報‘ｂ１ｂ０’が‘１０ｂ’である場合、該当データユニットの番号が‘Ｄａｔａ  Ｕｎｉｔ２’であることを示す。データユニットシーケンス番号情報‘ｂ１ｂ０’が‘１１ｂ’である場合、該当データユニットの番号が‘Ｄａｔａ  Ｕｎｉｔ３’であることを示す。
【００２９】
さらに、上記情報以外に上記光ディスクの再生制限情報（Ｒｅｇｉｏｎａｌ  Ｐｌａｙ  ｂａｃｋ  Ｃｏｎｔｒｏｌ  Ｉｎｆｏｒｍａｔｉｏｎ）が記録されることができる（図示せず）。上記再生制限情報が記録された光ディスクは特定光記録／再生装置で再生することができない。
【００３０】
上記２ビットのレイヤ情報（Ｌａｙｅｒ）は、図６に示すように、ディスクタイプ情報（Ｄｉｓｃ  Ｔｙｐｅ）で代替することができる。例えば上記ディスクタイプ情報‘ｂ７ｂ６’が‘００ｂ’である場合、ディスクのタイプが再生専用ブルーレイディスク（ＢＤ−ＲＯＭ）であることを示す。また、ディスクタイプ情報‘ｂ７ｂ６’が ‘０１ｂ’である場合、記録可能ブルーレイディスク（ＢＤ−Ｒ）であることを示し、ディスクタイプ情報‘ｂ７ｂ６’が‘１０ｂ’である場合、書換可能ブルーレイディスク（ＢＤ−ＲＥ）であることを示す。
【００３１】
また、上記付加情報が安定的に読み出すために、各データユニットの残りの情報フィールド（Ｉｎ，１〜Ｉｎ，１５，ｎ＝０，１２，３）にＤＶＤのセクタ情報に対応する多様な付加情報を反復記録することができる。
【００３２】
本発明による第２の実施形態で、データ記録動作または再生動作を正常に実行するのに必要な多様な付加情報が上記高密度光ディスクに記録されるアドレスユニット内に記録されることもできる。
【００３３】
上記高密度光ディスクには、図７に示すように、１６アドレスＸ９行（Ｒｏｗ）バイトのサイズを有するアドレスユニットが記録される。上記アドレスユニットのうち任意の一つの特定バイト、例えば１バイトのサイズを有する行バイト番号４のアドレスフィールド番号Ｓ（ＡＦ４，Ｓ，Ｓ＝０，１，・・・，１５）には図２に関して前述したＤＶＤのセクタ情報に対応する多様な付加情報が記録される。
【００３４】
図８に示すように、上記行バイト番号４のアドレスフィールド番号Ｓ（ＡＦ４，Ｓ，Ｓ＝０，１，・・・，１５）には、それぞれ２ビットのディスク反射率情報、ゾーンタイプ情報（Ｚｏｎｅ  ｔｙｐｅ）、データタイプ情報（Ｄａｔａ  ｔｙｐｅ）及びディスクタイプ情報が記録されることができる。ここで、ディスク反射率情報とディスクタイプ情報は前述した内容と同一である。
【００３５】
上記ゾーンタイプ情報が‘００ｂ’である場合、現在の位置がデータゾーン（Ｄａｔａ  Ｚｏｎｅ）であることを示す。ゾーンタイプ情報が‘０１ｂ’である場合、インナーゾーン（Ｉｎｎｅｒ  ｚｏｎｅ）であることを示し、ゾーンタイプ情報が‘１０ｂ’である場合、アウターゾーン（Ｏｕｔｅｒ  ｚｏｎｅ）であることを示す。上記ゾーンタイプ情報は、物理的ＡＤＩＰ（Ａｄｄｒｅｓｓ  Ｉｎ  Ｐｒｅ−ｇｒｏｏｖｅ）アドレスに含まれて記録されるレイヤ番号情報（Ｌａｙｅｒ  ｎｕｍｂｅｒ）とリンクされる。
【００３６】
例えば、上記レイヤ番号情報に基づいて、現在の記録層がデュアルレイヤのうち第１記録層であると判別された状態で、上記ゾーンタイプ情報がインナーゾーンであることを示す‘０１ｂ’の場合、現在の記録位置は第１記録層のリードインゾーンに対応する。一方、現在の記録層がデュアルレイヤのうち第２記録層であると判別された状態で上記ゾーンタイプ情報がインナー領域であることを示す‘０１ｂ’の場合には、現在の記録位置が第２記録層のリードアウトゾーンに該当する。
【００３７】
上記データタイプ情報が‘００ｂ’である場合、該当メインＡ／Ｖデータが再生専用データであることを示す。また、データタイプ情報が‘０１ｂ’である場合、記録可能なデータであることを示す。データタイプ情報が ‘１０ｂ’である場合、書換可能なデータであることを示す。
【００３８】
また、上記ディスクタイプ情報が‘００ｂ’の場合、該当光ディスクが再生専用光ディスクであることを示す。ディスクタイプ情報が‘０１ｂ’の場合、記録可能光ディスクであることを示し、ディスクタイプ情報が‘１０ｂ’の場合、書換可能光ディスクであることを示す。
【００３９】
上記データタイプ情報の代わりに、物理的ＡＤＩＰアドレスに含まれて記録されるレイヤ番号情報とは別に、現在の記録層を示すための２ビットのレイヤ情報が記録されることもできる。レイヤ情報が‘００ｂ’である場合、現在の記録層が第１記録層（Ｌａｙｅｒ  ０）であることを示す。また、レイヤ情報が‘０１ｂ’である場合、第２記録層（Ｌａｙｅｒ  １）であることを示す。レイヤ情報が‘１０ｂ’である場合、第３記録層であることを示す。一方、レイヤ情報が‘１１ｂ’である場合、第４記録層（Ｌａｙｅｒ  ３）を示す。あるいはまた、上記レイヤ情報は現在ディスクに含まれた記録層の数を示すこともできる。
【００４０】
本発明で例示した付加情報を上記レイヤ番号情報とリンクした状態で、記録または再生動作を実行するとき所望の制御を実行することもできる。例えば各記録層毎にトラッキング制御方法、反射率、データタイプなどが違う場合があるので、各記録層毎に上記付加情報に基づく制御を実行することによって安定した記録または再生動作を実現できる。
【００４１】
図１０に示すように、光ピックアップ１１、ＶＤＲ（Ｖｉｄｅｏ  Ｄｉｓｃ  Ｒｅｃｏｒｄｉｎｇ）システム１２及びエンコーダ１３を含む光ディスク装置内に本発明の第１実施形態による書換可能ブルーレイディスク（ＢＤ−ＲＥ）または再生専用ブルーレイディスク（ＢＤ−ＲＯＭ）などが装着される場合、上記光ディスク装置では、ＢＣＡを優先的にアクセスして各データユニットの第１情報フィールド内に記録されたディスク反射率情報を読み出して、光パワー調節（ＯＰＣ）及び自動利得調節（ＡＧＣ）動作を実行する。また、光ディスク装置は、上記データユニットの第１情報フィールド内に記録されたディスクレイヤ情報（Ｌａｙｅｒ）またはディスクタイプ情報などを読み出して、その読み出した情報に基づくデータ記録動作または再生動作を正常に実行する。
【００４２】
一方、本発明の他の実施形態による書換可能ブルーレイディスク（ＢＤ−ＲＥ）または再生専用ブルーレイディスク（ＢＤ−ＲＯＭ）が光ディスク装置に装着される場合、この光ディスク装置では、データの記録または再生動作実行途中に上記アドレスユニット内に記録されたディスク反射率情報、ゾーンタイプ情報、データタイプ情報及びディスクタイプ情報を読み出して、その読み出した情報に基づくデータ記録動作または再生動作を正常に実行する。
【００４３】
また、上記の実施形態による方法以外にも、本発明における付加情報を一般的にデータ領域の先頭位置に記録されるファイルシステムデータまたはナビゲーションデータに含まれて記録されることができる。この方法は、本発明の第１または第２の実施形態と組み合わせ、それにより付加情報をデータ領域の先頭位置及びＢＣＡまたはアドレスユニット内の両方に記録する場合、データ記録または再生の前及び／または間に上記情報を利用して所望の制御を実行することができる。
【００４４】
上記の説明から明らかなように、本発明は、最適の光パワー調節及び自動利得調節または現在位置確認が可能になり、またディスクタイプに対応する正常的なデータ記録動作または再生動作が可能になる高密度光ディスクおよびその記録または再生方法を提供する。
【００４５】
本発明の上記好ましい実施形態は例示の目的のために開示されたものであって、当業者ならば添付された特許請求範囲に開示された本発明の技術的範囲及び技術的思想から外れることなく、多様な改良、変更、付加および代替が可能であることを理解するであろう。
【図面の簡単な説明】
【００４６】
【図１】一般的なＤＶＤのデータフレーム（Ｄａｔａ  Ｆｒａｍｅ）の構成を概略的に示す図である。
【図２】一般的なＤＶＤのセクタ情報（Ｓｅｃｔｏｒ  Ｉｎｆｏｒｍａｔｉｏｎ）の構成を概略的に示す図である。
【図３】本発明による高密度光ディスクのバーストカッティング領域（ＢＣＡ）を概略的に示す図である。
【図４】本発明の実施形態による高密度光ディスクのデータユニットの構成を概略的に示す図である。
【図５】本発明の第１の実施形態による高密度光ディスクの特定情報フィールド（Ｉｎｆｏｒｍａｔｉｏｎ  Ｆｉｅｌｄ）の構成を概略的に示す図である。
【図６】本発明の第１の実施形態による高密度光ディスクの特定情報フィールドの構成を概略的に示す図である。
【図７】本発明の第２の実施形態による高密度光ディスクのアドレスユニットの構成を概略的に示す図である。
【図８】本発明の第２の実施形態による高密度光ディスクの特定アドレスフィールド（Ａｄｄｒｅｓｓ  Ｆｉｅｌｄ）の構成を示す図である。
【図９】本発明の第１または第２の実施形態による高密度光ディスクの物理的ＡＤＩＰアドレスの構成を概略的に示す図である。
【図１０】本発明の第１または第２の実施形態による高密度光ディスクにデータを記録しまたは高密度光ディスクに記録されたデータを再生するための光ディスク装置の構成を概略的に示す図である。
【図１】
2005536823.tif 000003
【図２】
2005536823.tif 000004
【図３】
2005536823.tif 000005
【図４】
2005536823.tif 000006
【図５】
2005536823.tif 000007
【図６】
2005536823.tif 000008
【図７】
2005536823.tif 000009
【図８】
2005536823.tif 000010
【図９】
2005536823.tif 000011
【図１０】
2005536823.tif 000012
【手続補正書】
【提出日】平成17年5月18日(2005.5.18)
【手続補正１】
【補正対象書類名】特許請求の範囲
【補正対象項目名】全文
【補正方法】変更
【補正の内容】
【特許請求の範囲】
【請求項１】
記録媒体にデータを記録し、または前記記録媒体から再生するために必要とされる制御情報を含むリードイン領域と、
前記リードイン領域よりも内側に位置付けられ、複数のデータユニットを含むバーストカッティング領域とを含み、
少なくとも媒体タイプ情報を含む付加情報が少なくとも１つのデータユニットに含まれることを特徴とする高密度記録媒体。
【請求項２】
前記媒体タイプ情報は、前記記録媒体が記録可能媒体または再生専用媒体であることを示すことを特徴とする請求項１に記載の高密度記録媒体。
【請求項３】
各データユニットに同期情報が先行することを特徴とする請求項１に記載の高密度記録媒体。
【請求項４】
前記付加情報は、第１のデータユニットに記録されることを特徴とする請求項３に記載の高密度記録媒体。
【請求項５】
前記付加情報は、各データユニットに反復記録されていることを特徴とする請求項１に記載の高密度記録媒体。
【請求項６】
リードイン領域内の前記制御情報は、前記付加情報を前記バーストカッティング領域に含むことを特徴とする請求項１に記載の高密度記録媒体。
【請求項７】
前記制御情報を有するリードアウト領域をさらに含むことを特徴とする請求項６に記載の高密度光ディスク。
【請求項８】
前記付加情報は、レイヤ情報をさらに含むことを特徴とする請求項１に記載の高密度記録媒体。
【請求項９】
前記付加情報は、データユニットを識別するためのシーケンス番号をさらに含むことを特徴とする請求項８に記載の高密度記録媒体。
【請求項１０】
前記レイヤ情報は、前記記録媒体に含まれたレイヤの数を示す情報であることを特徴とする請求項８に記載の高密度記録媒体。
【請求項１１】
リードイン領域内の前記制御情報は、前記付加情報を前記バーストカッティング領域に含むことを特徴とする請求項１０に記載の高密度記録媒体。
【請求項１２】
前記付加情報は、コピー保護システムのための使用を示すアプリケーションインジケータをさらに含むことを特徴とする請求項９に記載の高密度記録媒体。
【請求項１３】
前記付加情報は反射率情報をさらに含み、前記反射率情報は前記記録媒体の反射率を示すことを特徴とする請求項１に記載の高密度記録媒体。
【請求項１４】
前記反射率情報は、データ記録または再生動作が実行されるときに光パワー調節または自動利得調節のために必要な情報であることを特徴とする請求項１３に記載の高密度記録媒体。
【請求項１５】
前記媒体タイプ情報は、再生専用ブルーレイディスク（ＢＤ−ＲＯＭ）、１回記録可能ブルーレイディスク（ＢＤ−Ｒ）、または書換可能ブルーレイディスク（ＢＤ−ＲＥ）のタイプを示すことを特徴とする請求項１に記載の高密度記録媒体。
【請求項１６】
前記データユニットは複数の情報バイトを含み、前記媒体タイプ情報は少なくとも１つの情報バイトに含まれることを特徴とする請求項１に記載の高密度記録媒体。
【請求項１７】
前記媒体タイプ情報は、各データユニットの第１の情報バイトに含まれることを特徴とする請求項１６に記載の高密度記録媒体。
【請求項１８】
データを高密度記録媒体に記録し、または前記高密度記録媒体から再生する方法であって、
少なくとも媒体タイプ情報を含む、前記記録媒体のバーストカッティング領域の少なくとも１つのデータユニットに含まれた情報を識別するステップと、
前記識別された情報に基づきデータ記録または再生動作を制御するステップとを含むことを特徴とする方法。
【請求項１９】
前記情報は、前記記録媒体に含まれたレイヤの数を示し、それにより前記記録媒体のレイヤの数を識別するためのレイヤ情報をさらに含むことを特徴とする請求項１８に記載の方法。
【請求項２０】
前記バーストカッティング領域は複数のデータユニットを含み、前記情報は少なくとも１つのデータユニットに含まれており、前記識別するステップで前記データユニットを処理することによって前記情報を識別することを特徴とする請求項１８に記載の方法。
【請求項２１】
前記情報は各データユニットに繰返し含まれることを特徴とする請求項２０に記載の方法。
【請求項２２】
前記媒体タイプ情報は、再生専用ブルーレイディスク（ＢＤ−ＲＯＭ）、１回記録可能ブルーレイディスク（ＢＤ−Ｒ）、または書換可能ブルーレイディスク（ＢＤ−ＲＥ）のタイプを示すことを特徴とする請求項１８に記載の方法。
【請求項２３】
前記情報は前記記録媒体の反射率情報を含み、それにより記録または再生動作のための光パワーまたは自動利得を調節することを特徴とする請求項１８に記載の方法。
【請求項２４】
前記識別するステップで、好ましくは前記記録媒体が記録または再生装置に装着された場合に前記情報を識別することを特徴とする請求項１８に記載の方法。
【請求項２５】
前記識別するステップで、データを前記記録媒体に記録し、または前記記録媒体から再生するための初期段階で前記情報を識別することを特徴とする請求項１８に記載の方法。
【請求項２６】
前記情報は、データユニットを識別し、それにより前記情報を含む前記データユニットを識別するためのシーケンス番号を含むことを特徴とする請求項１８に記載の方法。
【請求項２７】
前記記録媒体は、前記リードイン領域が後続する前記バーストカッティング領域の前記情報と等しい情報を含むリードイン領域をさらに含み、
光ピックアップを移動して前記バーストカッティング領域に記録された前記情報を読出し、次いで前記バーストカッティング領域の情報を識別するステップをさらに含むことを特徴とする請求項１８に記載の方法。
【請求項２８】
前記識別するステップで、データを前記記録媒体に記録し、または前記記録媒体から再生するために、初期段階で前記情報を識別することを特徴とする請求項１８に記載の方法。
【請求項２９】
前記識別するステップで、起動手順を実行する初期段階で前記情報を識別することを特徴とする請求項１８に記載の方法。
【請求項３０】
高密度記録媒体にデータを記録し、または前記高密度記録媒体から再生する方法であって、
前記記録媒体のバーストカッティング領域に含まれた情報を読出すステップであって、前記バーストカッティング領域はリードイン領域よりも内側の領域に位置付けられ、複数のデータユニットを含み、前記情報は少なくとも１つのデータユニットに含まれかつ少なくとも媒体タイプ情報を含むステップと、
前記読み出された情報に基づきデータ記録または再生動作を制御するステップとを含むことを特徴とする方法。
【請求項３１】
各データユニットは複数の情報バイトを含み、前記情報は前記データユニットの少なくとも１つの情報バイトに含まれることを特徴とする請求項３０に記載の方法。
【請求項３２】
前記情報は、前記記録媒体に含まれたレイヤの数を示し、それにより前記記録媒体のレイヤの数を識別するためのレイヤ情報をさらに含むことを特徴とする請求項３０に記載の方法。
【請求項３３】
前記情報を識別するための少なくとも１つのデータユニットに含まれた読出し情報を処理するステップをさらに含むことを特徴とする請求項３２に記載の方法。
【請求項３４】
前記情報は各データユニットに繰返し含まれ、前記処理するステップで、各データユニットに含まれた前記読出し情報を処理して前記情報を識別することを特徴とする請求項３３に記載の方法。
【請求項３５】
前記媒体タイプ情報は、再生専用ブルーレイディスク（ＢＤ−ＲＯＭ）、１回記録可能ブルーレイディスク（ＢＤ−Ｒ）、または書換可能ブルーレイディスク（ＢＤ−ＲＥ）のタイプを示すことを特徴とする請求項３０に記載の方法。
【請求項３６】
前記情報は前記記録媒体の反射率情報を含み、それにより記録または再生動作のための光パワーまたは自動利得を調節することを特徴とする請求項３０に記載の方法。
【請求項３７】
前記情報は、データユニットを識別するためのシーケンス番号を含み、それにより前記情報を含む前記データユニットを識別することを特徴とする請求項３０に記載の方法。
【請求項３８】
前記読み出すステップで、好ましくは、前記記録媒体が記録または再生装置に装着された場合に前記情報を読み出すことを特徴とする請求項３０に記載の方法。
【請求項３９】
前記読み出すステップで、データを前記記録媒体に記録し、または前記記録媒体から再生するための初期段階で前記情報を読み出すことを特徴とする請求項３０に記載の方法。
【請求項４０】
前記読み出すステップで、起動手順を実行する初期段階で前記情報を読み出すことを特徴とする請求項３０に記載の方法。
【請求項４１】
前記リードイン領域は、前記バーストカッティング領域の前記情報と等しい情報を含み、
光ピックアップを移動して前記バーストカッティング領域に記録された情報を最初に読み出すことを特徴とする請求項３０に記載の方法。
【国際調査報告】
2005536823.tif 000013
2005536823.tif 000014